(57)【要約】【課題】コネクタの移動作業を行う際の作業性を改善する。【解決手段】コネクタは、相手ハウジング４０に嵌合可能なハウジング１０と、ハウジング１０の外面における嵌合方向と直交する幅方向の端部に形成される突部２１とを備える。相手ハウジング４０に形成された凹部４６に突部２１が嵌合することで両ハウジング１０、４０の嵌合動作が進行し、凹部４６に突部２１が嵌合しないことで両ハウジング１０、４０の嵌合動作が規制される。突部２１におけるハウジング１０の幅方向中央側を向く面は外向きに傾斜する斜面２４とされている。【選択図】図１
2011096503.tif 000002
【特許請求の範囲】
【請求項１】
相手ハウジングに嵌合可能なハウジングと、
前記ハウジングの外面における嵌合方向と直交する方向となる幅方向の端部に形成される突部とを備え、
前記相手ハウジングに形成された凹部に前記突部が嵌合する関係にある場合には両ハウジングの嵌合動作が進行し、前記凹部に前記突部が嵌合する関係にない場合には前記両ハウジングの嵌合動作が規制されるコネクタであって、
前記突部における前記ハウジングの幅方向中央側を向く面は外向きに傾斜する斜面とされていることを特徴とするコネクタ。
【請求項２】
前記斜面を有する前記突部は前記ハウジングの前記幅方向両端部に形成されていることを特徴とする請求項１記載のコネクタ。
【請求項３】
前記ハウジングの外縁は略４角形状をなし、前記斜面を有する前記突部は前記ハウジングの４隅部のそれぞれに形成されていることを特徴とする請求項２記載のコネクタ。
【請求項４】
前記凹部は、前記筒状のフード部の内面に形成され、前記斜面と対応する相手斜面を有していることを特徴とする請求項１ないし３のいずれか１項記載のコネクタ。
【発明の詳細な説明】
【技術分野】
【０００１】
本発明は、コネクタに関する。
【背景技術】
【０００２】
従来のコネクタが特許文献１に開示されている。このものは、幅方向に細長い角ブロック状のハウジングを備え、ハウジングは相手ハウジングに嵌合可能とされている。ハウジングの４隅部にはそれぞれ角柱状の突部が形成され、相手ハウジングには、突部と対応する位置に、それぞれ凹部が形成されている。この場合、各突部が各凹部と嵌合する関係にあると、両ハウジングの嵌合動作が進行し、各突部が各凹部と嵌合する関係にないと、両ハウジングの嵌合動作が規制される。したがって、両ハウジングが誤った組み合わせで嵌合されるのが防止されるようになっている。
【先行技術文献】
【特許文献】
【０００３】
【特許文献１】特開２００９−１６３９９８号公報（第６図）
【発明の概要】
【発明が解決しようとする課題】
【０００４】
ところで、上記従来のコネクタを嵌合方向と直交する幅方向に変位させ、例えば、パネルの貫通孔に挿通させる場合があった。かかる場合に、パネルの貫通孔の孔縁に突部が引っ掛かり、コネクタの移動作業に支障をきたすおそれがあった。
【０００５】
本発明は上記のような事情に基づいて完成されたものであって、コネクタの移動作業を行う際の作業性を改善することを目的とする。
【課題を解決するための手段】
【０００６】
上記の目的を達成するための手段として、請求項１の発明は、相手ハウジングに嵌合可能なハウジングと、前記ハウジングの外面における嵌合方向と直交する方向となる幅方向の端部に形成される突部とを備え、前記相手ハウジングに形成された凹部に前記突部が嵌合する関係にある場合には両ハウジングの嵌合動作が進行し、前記凹部に前記突部が嵌合する関係にない場合には前記両ハウジングの嵌合動作が規制されるコネクタであって、前記突部における前記ハウジングの幅方向中央側を向く面は外向きに傾斜する斜面とされているところに特徴を有する。
【０００７】
請求項２の発明は、請求項１に記載のものにおいて、前記斜面を有する前記突部は前記ハウジングの前記幅方向両端部に形成されているところに特徴を有する。
【０００８】
請求項３の発明は、請求項２に記載のものにおいて、前記ハウジングの外縁は略４角形状をなし、前記斜面を有する前記突部は前記ハウジングの４隅部のそれぞれに形成されているところに特徴を有する。
【０００９】
請求項４の発明は、請求項１ないし３のいずれかに記載のものにおいて、前記凹部は、前記筒状のフード部の内面に形成され、前記斜面と対応する相手斜面を有しているところに特徴を有する。
【発明の効果】
【００１０】
＜請求項１の発明＞
突部が凹部に嵌合するのか否かによって両ハウジングの誤嵌合が防止される。また、ハウジングを幅方向に移動させる場合に、仮にその移動方向に障害物があっても、突部の斜面に障害物が摺動することにより、突部と障害物との引っ掛かりが回避され、移動作業を円滑に行うことができる。したがって、本発明によれば、コネクタの移動作業を行う際の作業性が改善される。
【００１１】
＜請求項２の発明＞
例えば、ハウジングを幅方向に移動させてパネルの貫通孔に挿通させようとする場合、幅方向両端部に位置する各突部のうち、ハウジングの貫通孔への挿通方向後方に位置する突部の斜面によって、貫通孔への挿通時におけるハウジングの移動案内が円滑になされる。また、ハウジングの貫通孔への移動方向前方に位置する突部の斜面によって、貫通孔への抜出時におけるハウジングの移動案内が円滑になされる。
【００１２】
＜請求項３の発明＞
突部がハウジングの４隅部のそれぞれに形成されているから、両ハウジングの誤嵌合防止の信頼性が向上するとともに、ハウジングの強度が高められる。
【００１３】
＜請求項４の発明＞
凹部が筒状のフード部の内面に形成されていて斜面と対応する相手斜面を有しているから、フード部における相手斜面と対応する部位の肉厚が増加する。したがって、フード部の強度が高められる。その結果、例えば、両ハウジングの嵌合時に、相手ハウジングに対しハウジングが斜めにこじった姿勢をとっていても、突部の凹部への嵌合によってフード部が膨出変形されるのが回避され、ひいてはハウジングのこじり姿勢が矯正され得る。
【図面の簡単な説明】
【００１４】
【図１】本発明の実施形態１のコネクタがパネルの貫通孔に挿通される状態を示す正面図である。
【図２】コネクタがパネルの貫通孔から抜き出される状態を示す正面図である。
【図３】コネクタの背面図である。
【図４】相手ハウジングの正面図である。
【図５】レバーが待機位置に保持されたコネクタの平面図である。
【図６】レバーが嵌合位置に保持され、相手ハウジングに正規嵌合されたコネクタの平面図である。
【図７】別のハウジングの正面図である。
【図８】また別のハウジングの正面図である。
【図９】また別のハウジングの正面図である。
【図１０】さらに別のハウジングの正面図である。
【発明を実施するための形態】
【００１５】
＜実施形態１＞
本発明の実施形態１を図１ないし図１０によって説明する。本実施形態のコネクタは、ハウジング１０、レバー６０及び図示しない端子金具を備え、ハウジング１０は相手ハウジング４０に嵌合可能とされている。ハウジング１０は回路パターンに応じて複数種用意され、これに対応して、相手ハウジング４０も複数種用意されている。なお、以下の説明において前後方向については、両ハウジング１０、４０の嵌合面側を前方とする。
【００１６】
相手ハウジング４０は合成樹脂製であって、全体として幅方向（嵌合方向と直交する方向であって図６に示す左右方向）に細長い略角筒状のフード部４１を備えている。フード部４１内には複数の相手端子金具４２のタブ４３が突出して配置され、各相手端子金具４２は複数サイズで構成されていてフード部４１の奥壁に所定配列で装着されている。
【００１７】
フード部４１の左右両壁（短辺側の壁）の内面における高さ方向略中央部には、一対の係合爪４４が突出して形成されている。両係合爪４４の先端はフード部４１の開口縁側に配置されている。
【００１８】
フード部４１の上下両壁（長辺側の壁）の内面における幅方向中央寄りの位置には、左右一対ずつの略円柱状のカムフォロア４５が形成されている。また、フード部４１の上下両壁の内面における４隅寄りの位置のそれぞれには、両ハウジング１０、４０の嵌合時にハウジング１０に形成された突部２１（後述する）が嵌合する凹部４６が形成されている。各凹部４６は、突部２１と対応する形状をなし、フード部４１の幅方向中央側に位置する内面に、内向きに傾斜するテーパ状の相手斜面４７を有している。相手斜面４７は、全種の相手ハウジング４０に共通して形成されるものであり、その傾斜内に肉盛りがなされる分、フード部４１の強度が高められた形態となっている。なお、各凹部４６の全体的な形状、配置は、相手ハウジング４０の種類毎に異なっている。
【００１９】
ハウジング１０は合成樹脂製であって、全体として幅方向に細長い略角ブロック状のハウジング本体１１と、ハウジング本体１１の後面を覆うようにこのハウジング本体１１に被せ付けられるカバー１２とを備えている。カバー１２は、前方及び幅方向一側に開口するキャップ状をなし、ハウジング本体１１の後面と間隔をあけて対向する背板１３を有している。
【００２０】
ハウジング本体１１には、図１に示すように、複数のキャビティ１４が前後方向に形成されている。各キャビティ１４内には後方から端子金具が挿入され、正規挿入された端子金具は各キャビティ１４の内面に形成されたランス１５によって弾性的に抜け止めされるようになっている。各端子金具は、相手端子金具４２と対応するよう複数サイズで構成され、相手端子金具４２のタブ４３を受容してこれに接続可能な箱状の部分と、図示しない電線の端末に接続される部分とを有している。各電線は、ハウジング１０の後面から引き出されたあとカバー１２の背板１３に沿って幅方向一側へ強制的に屈曲させられ、さらにカバー１２の幅方向一側における開口から外部へ導出される。
【００２１】
ハウジング本体１１の左右両側面（短辺側の外面）の高さ方向中央部には、両ハウジング１０、４０の嵌合過程で相手側の係合爪４４を受容する係合溝１６が前後方向に延出して形成されている。係合溝１６の溝面には係合爪４４が摺動可能とされ、これによって両ハウジング１０、４０の嵌合案内がなされる。
【００２２】
ハウジング本体１１の上下両面（長辺側の外面）の後端部における幅方向中央寄りの位置には、図５に示すように、レバー６０を回動可能に支持する左右一対ずつの略円柱状の支軸１７が形成されている。レバー６０は、コネクタのレイアウト状況に応じて、左右いずれか一方の組の支軸１７に選択的に装着される。また、ハウジング本体１１の上下両面の前端部における幅方向一側へ寄った位置には、レバー６０の弾性係止片６６（後述する）を受ける係止受部１８が形成されている。係止受部１８は、ハウジング本体１１の上下両面と少しの間隔をあけて平行に配置される突片１９を有している。
【００２３】
レバー６０は合成樹脂製であって全体として板状をなし、高さ方向の連結部６１と、連結部６１の両端から互いに略平行に突出する一対のアーム部６２とからなる。両アーム部６２には支軸１７を受ける軸受部６３が貫通して形成され、連結部６１にはロック片６４が撓み可能に形成されている。かかるレバー６０は、ハウジング１０に対して、支軸１７（軸受部６３）を中心として待機位置と嵌合位置との間を回動可能に装着されている。待機位置では、連結部６１がカバー１２の背板１３の後方に配置され、嵌合位置では、連結部６１がハウジング１０の幅方向一側又は他側に配置される。また嵌合位置では、ロック片６４が相手側の係合爪４４を引っ掛け状態で弾性的に係止し、これによって両ハウジング１０、４０が離脱規制状態に保持される。
【００２４】
アーム部６２には所定方向に延びてその外周縁に開口するカム溝６５が形成されている。両ハウジング１０、４０の嵌合時には、カム溝６５内にカムフォロア４５が進入し、レバー６０の嵌合位置への回動に伴いカムフォロア４５がカム溝６５の溝面を摺動してカム作用が発揮され、これによって両ハウジング１０、４０が低嵌合力で嵌合されるようになっている。
【００２５】
アーム部６２の外周縁には、弾性係止片６６が切り欠いて形成されている。弾性係止片６６は、ハウジング本体１１と係止受部１８との間に配置されるものであって、アーム部６２の外周縁に沿って延出する形状とされ、その基端部を支点としてアーム部６２の板面方向に撓み変形可能とされている。弾性係止片６６の基端部の外面には、嵌合位置にて係止受部１８の突片１９を係止することでレバー６０の待機位置への移動を規制する基端側係止突起６７が形成されている。また、弾性係止片６６の先端部の外面には、待機位置にて係止受部１８の突片１９を係止することでレバー６０の嵌合位置への移動を規制する先端側係止突起６８が形成されている。
【００２６】
さて、ハウジング本体１１の４隅部のそれぞれには、相手側の凹部４６に嵌合可能な突部２１が形成されている。各突部２１は、ハウジング本体１１の上下両面の幅方向両端部において高さ方向に突出する形状とされ、複数種のハウジング１０毎に全体として異なる形状、配置で構成されている。このハウジング１０の場合、各突部２１は、ハウジング本体１１の上下両面のそれぞれにおいて、ハウジング本体１１の幅方向中央を挟んで対称な形状をなしている。具体的には、ハウジング本体１１の上面に配置される両突部２１はハウジング本体１１の左右両側面と面一で連なる垂直面２２を有し、ハウジング本体１１の下面に配置される両突部２１はハウジング本体１１の左右両側面との間に段差２３を介して連なる垂直面２２を有している。そして、各突部２１は、前後方向に延出する形状とされ、全長に亘って略同一の断面３角形状をなしている。各突部２１の後端はハウジング本体１１の全長の概ね半分の位置にあり、ここに嵌合位置に至ったレバー６０におけるアーム部６２の前端が対向して配置される（図６を参照）。
【００２７】
また、各突部２１におけるハウジング本体１１の幅方向中央側を向く面は、外向き（ハウジング本体１１の上面に配置される両突部２１は上向きで、ハウジング本体１１の下面に配置される両突部２１は下向き）に傾斜するテーパ状の斜面２４とされ、両ハウジング１０、４０の嵌合時には相手斜面４７と対面して当接可能に配置される。この斜面２４は全種のハウジング１０に共通して形成されるものである。
【００２８】
ハウジング本体１１の外縁には略全周に亘って面取りが施されており、このうち、ハウジング１０の幅方向両端縁（ハウジング本体１１の左右両側面の前縁、係合溝１６の溝底面の前縁、及び突部２１の垂直面２２の前縁）は他よりも傾斜角の緩い幅広の面取り部２５とされている。
【００２９】
なお、本実施形態の場合、このハウジング１０とは別に、図７〜図１０に示す４種類のハウジング１０Ａ〜１０Ｄが用意されており、各ハウジング１０、１０Ａ〜１０Ｄ同士は各突部２１の形状、配置の相違によって互いに構造的に識別されている。このうち、図１０に示すハウジング１０Ｄでは、ハウジング本体１１の幅方向一側に配置される両突部２１に、ハウジング本体１１の幅方向中央部に向けて外向きに傾斜する端部斜面２８が形成されている。
【００３０】
次に、本実施形態の作用を説明する。なお、とくに言及しない限り、ハウジング１０Ａ〜１０Ｄは以下に説明するハウジング１０の態様に準じる。
本実施形態のコネクタは、相手ハウジング４０との嵌合に先立ち、パネル９０に形成された貫通孔９１に挿通され、パネル９０の出口側で相手ハウジング４０との嵌合作業を行うものである。この場合、ハウジング１０はその幅方向をパネル９０の板厚方向に向けながら貫通孔９１に対して横向きの姿勢で挿通される（図１を参照）。
【００３１】
各突部２１のうち、ハウジング１０の貫通孔９１への挿通方向後方に位置する突部２１Ｂは、その挿通方向に沿った斜面２４を有している。したがって、貫通孔９１に挿入されたハウジング１０をパネル９０の出口側へ抜き出す際、仮に、前記挿通方向後方に位置する突部２１Ｂが貫通孔９１の孔縁に干渉しても、この突部２１Ｂの斜面２４が貫通孔９１の孔縁を摺動することにより、ハウジング１０をパネル９０の出口側に引っ掛かりなく円滑に取り出すことができる。
【００３２】
また、各突部２１のうち、ハウジング１０の貫通孔９１への挿通方向前方に位置する突部２１Ａは、その挿通方向とは逆向きの方向に沿った斜面２４を有している。したがって、貫通孔９１に挿入されたハウジング１０をその挿入方向とは逆向きに引き抜く際、仮に、前記挿入方向前方に位置する突部２１Ａが貫通孔９１の孔縁に干渉しても、この突部２１Ａの斜面２４が貫通孔９１の孔縁を摺動することにより、ハウジング１０をパネル９０の入り口側に引っ掛かりなく円滑に取り出すことができる（図２を参照）。
【００３３】
さらに、図１０に示すハウジング１０Ｄでは、各突部２１のうち、ハウジング１０Ｄの貫通孔９１への挿通方向前方に位置する突部２１Ａがその挿通方向に沿った端部斜面２８を有しているため、ハウジング１０Ｄを貫通孔９１に挿入する際、仮に、前記挿通方向前方に位置する突部２１Ａが貫通孔９１の孔縁に干渉しても、この突部２１Ａの端部斜面２８が貫通孔９１の孔縁を摺動することにより、ハウジング１０Ｄをパネル９０の貫通孔９１に引っ掛かりなく円滑に挿入することができる。
【００３４】
その後、パネル９０の出口側では、両ハウジング１０、４０の嵌合作業が行われる。両ハウジング１０、４０の嵌合にあたり、両ハウジング１０、４０が正しい組み合わせであれば、各突部２１が対応する各凹部４６に嵌合されて、両ハウジング１０、４０の嵌合動作が進行する。こうして両ハウジング１０、４０が正規嵌合されると、両端子金具が正規深さで電気的に接続される。
一方、両ハウジング１０、４０が正しい組み合わせでない場合には、各突部２１が対応する各凹部４６に嵌合せず、両ハウジング１０、４０の嵌合動作が規制される。このとき、各突部２１は対向する各凹部４６とその形状と配置の少なくともいずれか一方で不一致となる。したがって、本実施形態によれば、両ハウジング１０、４０が誤った組み合わせで嵌合される事態を回避できる。
【００３５】
以上説明したように、本実施形態によれば、ハウジング１０を幅方向に移動させる場合に、パネル９０等の障害物があっても、突部２１の斜面２４に障害物が摺動することにより、突部２１と障害物との引っ掛かりが回避される。したがって、コネクタの移動作業を行う際の作業性が改善される。
【００３６】
また、ハウジング１０を幅方向に移動させてパネル９０の貫通孔９１に挿通させる場合において、幅方向両端部に位置する各突部２１のうち、ハウジング１０の貫通孔９１への挿通方向後方に位置する突部２１Ｂの斜面２４によって、貫通孔９１への挿通時におけるハウジング１０の移動案内が円滑になされるとともに、ハウジング１０の貫通孔９１への移動方向前方に位置する突部２１Ａの斜面２４によって、貫通孔９１への抜出時におけるハウジング１０の移動案内が円滑になされる。
【００３７】
また、突部２１がハウジング１０の４隅部のそれぞれに形成されているから、両ハウジング１０、４０の誤嵌合防止の信頼性が向上するとともに、ハウジング１０の強度が高められる。
【００３８】
さらに、凹部４６が筒状のフード部４１の内面に形成されていて斜面２４と対応する相手斜面４７を有しているから、フード部４１における相手斜面４７と対応する部位の肉厚が増加する。したがって、フード部４１における凹部４６周辺の強度が高められる。その結果、例えば、両ハウジング１０、４０の嵌合時に、相手ハウジング４０に対しハウジング１０が斜めにこじった姿勢をとっていても、突部２１の凹部４６への嵌合によってフード部４１が膨出変形されるのが回避され、ひいてはハウジング１０のこじり姿勢が矯正され得る。
【００３９】
＜他の実施形態＞
本発明は上記記述及び図面によって説明した実施形態に限定されるものではなく、例えば次のような実施形態も本発明の技術的範囲に含まれる。
（１）突部及び凹部はそれぞれハウジング及びフード部の幅方向両端側の２隅部のみに形成されるものであってもよい。
（２）突部及び凹部はそれぞれハウジング及びフード部の幅方向片端側でかつ高さ方向両端側の２隅部のみに形成されるものであってもよい。
（３）突部及び凹部はそれぞれハウジング及びフード部の幅方向片端側でかつ高さ方向片端側の１隅部のみに形成されるものであってよい。
（４）斜面は曲面状をなすものであってもよい。
（５）本発明は、上記の利用態様に限らず、例えば、コネクタをその収容ボックスから取り出すような場合にも、突部の斜面によってその取り出し作業の作業性を改善することができるので好適に用いられる。
【符号の説明】
【００４０】
１０…ハウジング
２１…突部
２４…斜面
４０…相手ハウジング
４１…フード部
４６…凹部
４７…相手斜面
【図１】
2011096503.tif 000003
【図２】
2011096503.tif 000004
【図３】
2011096503.tif 000005
【図４】
2011096503.tif 000006
【図５】
2011096503.tif 000007
【図６】
2011096503.tif 000008
【図７】
2011096503.tif 000009
【図８】
2011096503.tif 000010
【図９】
2011096503.tif 000011
【図１０】
2011096503.tif 000012